(57)【要約】【課題】コンクリート構造物に差し筋を形成する場合に、任意に差し筋穴を形成し、治具の再利用を図ると共に作業の効率化を図る。【解決手段】円柱形の基部１１の一側を取付部１３とし、磁石６付きの仮止め部１を回転自在に連結する。基部１１の他側に、穴を空け鉄筋挿入部１６として空間形成部１０を形成して、差し筋穴形成具２０を構成する（ａ）。鋼製の型枠２３に基礎用の鉄筋２５を配置すると共に、差し筋位置に合わせて、自由な位置・角度で差し筋穴形成具２０を取り付ける（ａ）。型枠２３内にコンクリート２７を打設する（ｂ）。固化発現後、型枠２３、差し筋穴形成具２０を除去し、基礎３０が構築され、側面から斜めに差し筋穴３１が形成される（ｃ）。差し筋穴３１の底部には、鉄筋挿入部１６内の鉄筋２５の先端が露出している。差し筋穴３１に鉄筋３６を挿入し、グラウト３７を注入して、差し筋３６を定着させる（ｄ）。【選択図】図１
2008038445.tif 000002
【特許請求の範囲】
【請求項１】
型枠の裏面に仮止めできる仮止め手段に、棒状の空間形成手段の一側を取付角度変更可能に連結し、前記空間形成手段の他端部に鉄筋挿入部を形成したことを特徴とする差し筋穴形成具。
【請求項２】
仮止め手段の一側に回転自在に空間形成部の一側を取付角度変更可能に回転自在に連結し、
前記仮止め手段の他側に磁石を露出させ、
前記空間形成部の他側に鉄筋挿入穴を形成した
ことを特徴とした差し筋穴形成具。
【請求項３】
仮止め手段の一側に、柔軟材料から形成した空間形成部の一側を固定し、
前記仮止め手段の他側に磁石を露出させ、
前記空間形成部の他側に鉄筋挿入穴を形成した
ことを特徴とした請求項１又は２記載の差し筋穴形成具。
【発明の詳細な説明】
【技術分野】
【０００１】
この発明は、主に住宅などのコンクリート製の基礎等のコンクリート構造物に埋設された鉄筋に、コンクリート打設後に差し筋される鉄筋を連結するために使用する物で、コンクリート構造物に差し筋用穴を形成する差し筋穴形成具に関する。
【背景技術】
【０００２】
一般に木造構造物の場合、土台の位置に合わせて、土台を支えるコンクリート製の基礎（布基礎）を構築していた。この場合、型枠で囲まれた内側にコンクリートを打設して、コンクリート製の基礎を構築していた。
【０００３】
更に、出願人が提案する蓄熱工法では、コンクリート製の基礎で囲まれた内側に砂利層を形成して、更に砂利層の上方にコンクリートを打設して、コンクリート製の基礎の上面とほぼ同一の高さに下地コンクリート層を形成していた（例えば、特許第３３３１４６６号）。
【０００４】
この場合、コンクリート層内には、下地コンクリート層の割れを防止するために鉄筋類を埋設する場合があった。この場合、下地コンクリート層内の鉄筋を、コンクリート製の基礎のコンクリート打設後に、埋設した鉄筋に接合すれば、より強固に基礎を構築できた。
【０００５】
予め、基礎用の鉄筋を型枠から突出させた状態でコンクリート製の基礎を構築することも考えられるが、基礎用型枠の加工が煩雑となり、とりわけ、一般に鋼製の型枠を使用する場合が多いので、加工は不可能であった。
【０００６】
従って、基礎用の型枠内側（コンクリート打設側）に空隙を形成し、コンクリート打設して型枠を除去した後に、下地コンクリート層に配置する鉄筋を空隙に差し込んで、空隙にコンクリートを充填して、下地コンクリート層をコンクリート製の基礎と一体化することが考えられる。この場合、磁石などで、型枠の内側に取り付けるユニットの発明を利用することができる（特許文献１〜３）。
【特許文献１】特開平６−１８５１２５
【特許文献２】特開２００６−１２２２４
【特許文献３】特開２００６−９７２８４
【発明の開示】
【発明が解決しようとする課題】
【０００７】
前記従来のユニットでは、型枠面に対して直角に差し筋用の空隙を形成するもので、自由な角度で差し筋をすることができなかった。とりわけ、下地コンクリート層の基礎側には一般にハンチを形成するので、差し筋は斜めに挿入することが望ましく、前記従来のユニットでは対応できなかった。
【０００８】
従って、ハンチを形成するので、基礎の下部では差し筋を斜めに形成し、基礎の上部では、水平に差し筋を形成することが必要となり、差し筋の方向を任意に設定できるユニットが求められていた。
【課題を解決するための手段】
【０００９】
然るに、この発明は、型枠に仮止めできる仮止め手段に回転自在に空間形成手段を取り付けて差し筋係止具を構成したので、前記問題点を解決した。
【００１０】
即ちこの発明は、型枠の裏面に仮止めできる仮止め手段に、棒状の空間形成手段の一側を取付角度変更可能に連結し、前記空間形成手段の他端部に鉄筋挿入部を形成したことを特徴とする差し筋穴形成具である。また、他の発明は、仮止め手段の一側に回転自在に空間形成部の一側を取付角度変更可能に回転自在に連結し、前記仮止め手段の他側に磁石を露出させ、前記空間形成部の他側に鉄筋挿入穴を形成したことを特徴とした差し筋穴形成具である。また、前記において、仮止め手段の一側に、柔軟材料から形成した空間形成部の一側を固定し、前記仮止め手段の他側に磁石を露出させ、前記空間形成部の他側に鉄筋挿入穴を形成したことを特徴とした差し筋穴形成具である。
【００１１】
前記における「鉄筋」はコンクリートに埋設して構造材を構成する鋼材であれば、断面形状は任意であり、いわゆる鉄筋に限られない。
【発明の効果】
【００１２】
型枠に固定できる仮止め手段に、空間形成手段を回転自在に取りつけたので、空間形成手段により、型枠に対して任意の角度で、コンクリート内に差し筋穴を形成できる。また、仮止め手段を使用したので、型枠使用後に、型枠から差し筋穴形成具を取り外して、他の型枠へ転用ができ、材料の無駄を省き、作業の効率化を図ることができる。
【００１３】
また、角度が決まっていなく、位置だけ決まっている差し筋では、既設の鉄筋を動かすことなく、配筋した鉄筋間のスペースに、空間形成手段を配置することができる。
【発明を実施するための最良の形態】
【００１４】
この発明の差し込み穴形成具２０は、
・コンクリート構造体の形成用の型枠２３に取り付ける「仮止め手段１」
・コンクリート構造体に差し筋穴３１を形成し、差し筋穴３１に、コンクリート構造体の鉄筋の鉄筋挿入部１６を有する「空間形成手段１０」
とからなる（図２、図４、図５、図６）。
【００１５】
「仮止め手段１」は、磁石６や仮止め用の釘などで、コンクリート構造体の形成用の型枠２３に仮止めされる。「仮止め手段１」は、コンクリート打設後に、型枠２３と共に差し込み穴形成具２０から除去される。従って、差し込み穴形成具２０の再利用が可能となる。
【００１６】
「仮止め手段１」と「空間形成手段１０」とは、相対角度が調節自在に連結されている。
【実施例１】
【００１７】
図面に基づきこの発明の実施例を説明する。
【００１８】
１．差し筋穴形成具２０
【００１９】
円錐形の先端側を除去した中空形状の基部２で、上面が小径の円形の上端板３で、下端が大径で開放して下端開放部４を形成してある。上端板２の中央には径Ｄ０の円形透孔５が穿設されている。基部２の下端開放部４に、開口を覆うように円盤状の磁石６を取り付ける。以上のようにして、仮止め部（仮止め手段）１を構成する。
【００２０】
径Ｄ２の円柱形の基部１１の一側１２に、細径の棒体１４の先端に径Ｄ１の球体１５を連設した取付部１３を形成する。基部１１の他側１２ａに、所定深さＬ０の穴を形成して鉄筋挿入部１６とする。以上のようにして空間形成部（空間形成手段）１０を構成する。
【００２１】
前記において、例えば、差し筋３６ａとして、径１３ｍｍの異形鉄筋を使用する場合、
空間形成部１０の基部１１の径Ｄ２＝１９〜２２ｍｍ
長さＬ１＝６０〜７０ｍｍ
鉄筋挿入部１６の長さＬ０＝１０〜４０ｍｍ
程度とする。尚、使用する各鉄筋の径は上記例に限らず、Ｄ１０、Ｄ１６等任意である。また、鉄筋も異形に限らず、丸鋼、あるいは、鉄筋に代わり各種形鋼を使用することもできる（図示していない）。
【００２２】
以上のようにして、この発明の差し筋穴形成具２０を構成する（図）１（ａ）、図２）。
【００２３】
２．差し筋穴形成具２０の使用
【００２４】
次ぎに、前記差し筋穴形成具２０の使用について説明する。
【００２５】
（１）  地面２２を均し、コンクリート製の基礎３０の構築位置に合わせて、鋼製の型枠２３、２４を組み立て配置する。型枠２３、２４の組み立てと同時に又は前後して、型枠２３、２４内に基礎用の鉄筋２５、２５を配置する。
【００２６】
構築予定の下地コンクリート層４０用の鉄筋３６の差し筋位置に合わせて、差し筋穴形成具２０、２０を取り付ける。差し筋位置に合わせて、内側（下地コンクリート層構築側）の型枠２３の内面２３ａに、差し筋穴形成具２０の仮止め部１を取り付ける（図１（ａ）、図３（ａ））。即ち、仮止め部１の磁石６が型枠２３の内面２３ａに止まり、予定している差し筋３６ａの取付角度に合わせて空間形成部１０の角度を変える。この際、仮止め部１は磁石６で取り付けるので、位置調整自由であり、仮止め部１と空間形成部１０との相対角度も自由に設定できるので、差し筋２５ａの角度に合わせて、あるいは、基礎用の鉄筋２５、２５に当たらないように差し筋穴形成具２０の取付位置を微調節できる。
【００２７】
また、この際、同時に又は前後して、鉄筋挿入部１６に基礎用の鉄筋２５を挿入する。
【００２８】
また、空間形成部１０の一側１２と仮止め部１との間に間隙２６が形成される場合（棒体１４が露出する場合）には、間隙２６に発泡スチロール片など適宜な詰め物２６ａをする。
【００２９】
（２）  続いて、型枠２３、２４内にコンクリート２７を打設する（図１（ｂ）、図３（ｂ））。この際、差し筋穴形成具２０、鉄筋２５、鉄筋（差し筋）３６は動くことがない。
【００３０】
（３）  コンクリート２７が固化発現したならば、型枠２３、２４と共に、差し筋穴形成具２０及び詰め物２６ａを除去すれば、コンクリート製の基礎３０が構築される。差し筋穴形成具２０及び詰め物２６ａを除去した後に、基礎３０の側面から斜めに差し筋穴３１が形成される（図１（ｃ）、図３（ｃ））。差し筋穴３１の底部には、鉄筋挿入部１６に挿入しておいた基礎用の鉄筋２５の先端が露出している。
【００３１】
続いて、基礎３０の内側（室内側）を盛り土３３して、砕石を敷き詰めた砕石層３４を形成する（図３（ｃ））。この際、砕石層３４の基礎側は下方に向けて斜めに形成して傾斜部３４ａを形成する。従って、差し筋穴３１は、砕石層３４が被らず、露出している。
【００３２】
また、盛り土３３又は砕石層３４の形成に前後して、基礎３０の上面にＨ形鋼からなる土台３５を取り付ける（図３（ｃ））。
【００３３】
（４）  続いて、図１（ｃ）矢示４３のように、差し筋穴３１に鉄筋３６を挿入すると共に、必要な下地コンクリート層用の鉄筋３６、３６を配置する（図３（ｃ））。
【００３４】
（５）  必要な鉄筋３６、３６の配置が完了したならば、差し筋穴３１内にグラウト（セメントモルタルなど）３７を注入して（図１（ｄ））、砕石層３４の上にコンクリート３８を打設して、土台３５の上縁を定規としてコンクリート３８の上面を均して、下地コンクリート層４０を構成する（図３（ｄ））。下地コンクリート層４０は、基礎３０の近傍で下方に突出した周縁突出部（ハンチ）４１が形成され、強度・剛性が増し、更に、埋設した鉄筋３６が差し筋穴３１を介して基礎３０に定着するので、より強度・剛性が高い下地コンクリート層４０を構成できる。
【００３５】
下地コンクリート層４０の上面に床を構築する（図示していない）。
【００３６】
（６）  以上のように形成した差し筋穴形成具２０を使用したので、基礎用の鉄筋２５、２５の一端が差し筋穴形成具２０に固定されるので、鉄筋２５の結束作業を軽減できる。また、差し筋穴形成具２０、２０は型枠２３にしっかりと固定でき、コンクリート打設後の直し作業を不要にできる。従って、総体として作業性を高めることができる。また、とりわけ磁石６を使用した場合には、鋼製型枠に確実に固定することができ、また現場での設置位置の微調節も自由にできる。
【００３７】
３．他の実施例
【００３８】
前記実施例において、仮止め部の円形透孔内に、空間形成部の球体を入れて、仮止め部と空間形成部とを相対的に回動自在に形成したが、他の手段により回動自在に形成することもできる。
【００３９】
例えば、仮止め部１の基部２の全体を、半球の連結穴７を形成した磁石から構成し、空間形成部１０の取付部１３の球体１５を鋼製で構成とし、
球体１５の径Ｄ１≦連結穴の径Ｄ３
とする（図４（ａ））。球体１５を連結穴７に嵌挿すれば、磁石で係止して、仮止め部１と空間形成部１０は、回転自在でかつ容易に離脱しない構成となる（図４（ｂ））。
【００４０】
また、取付部１３の棒体１４をゴムなどの弾性材料や、フレキシブルパイプから構成し、棒材１４を直接に仮止め部１に固定することもできる（図示していない）。
【００４１】
また、前記実施例において、１つの仮止め部１に対して１つの空間形成部１０を設けたが、円形透孔５や連結穴７を多数形成した長尺の仮止め部１に、複数の空間形成部１０、１０を取り付けることもできる（図示していない）。
【００４２】
また、前記実施例において、仮止め部１の基部に柔軟材料（例えば、ゴム材料やスポンジ状の樹脂材料）を固定して、差し筋穴形成具２０を構成することもできる（図示していない）。
【００４３】
また、前記実施例において、球体１５を円形透孔５と磁石６の表面との間で押圧される大きさに係止して、型枠２３に差し筋穴形成具２０を取り付けた状態で、空間形成部１０がぐらつかず、所定の角度に保持できるようにすることもできる（図５（ａ））。また、この場合、磁石６に円形の開口６ａを形成して、球体１５を型枠２３の内面２３ａに当接して、内面２３ａ及び円形透孔５に、球体１５を押圧当接させることもでき（図５（ｂ））、磁石６に開口６ａを形成すれば、基部１の厚さを小さくすることもできる。
【００４４】
また、前記実施例において、基部２を板状として、基部２に開口６ａを有する磁石６を固定し、開口６ａ内で、基部２の中央部に、開口８ａを有する部分球殻体８の球面側を固定して、仮止め部１構成することもできる（図５（ｃ））。この場合、部分球殻体８の開口８ａから空間形成部１０の球体１５を嵌合して、球体１５を回動自在で、かつ所定角度を保持できる構成とすることができる。
【実施例２】
【００４５】
図６に基づきこの発明の他の実施例を説明する。この実施例は、差し筋形成具２０の鉄筋挿入部１６に、予めコンクリート構造物に埋設する構造鉄筋２５を固定する実施例である。
【００４６】
１．差し筋穴形成具２０の構成
【００４７】
板状で開口２ａを有する基部２の一面に、ドーナツ状で開口６ａを有する板状の磁石６を取り付けて、仮止め部（仮止め手段）１を構成する。
【００４８】
筒状の基部１１の一側１２の内面に、長さＬ２のねじ部１７を形成する。基部１１の他側１２ａに、鉄筋挿入部１６を形成する。鉄筋挿入部１６に、埋設用の鉄筋２５を挿入して、長さＬ０に亘ってかしめて、基部１１と鉄筋２５とを固定する。以上のようにして、空間形成部１０を構成する。
【００４９】
前記において、例えば、差し筋３６ａとして、径１３ｍｍの鉄筋を使用する場合、ねじ部の長さＬ２は、２０〜４０ｍｍ程度とする。また、鉄筋２５として、例えば、径１３ｍｍの鉄筋をかしめる場合には、かしめの長さＬ０は、３０〜４０ｍｍ程度とする。前記実施例１と同様に、使用する各鉄筋の径は上記例に限らず、任意であり、構造も任意である（図示していない）。
【００５０】
ねじ部１７を形成した基部１１の一側１２の中空部が、差し筋穴３１を形成する。
【００５１】
空間形成部１０の基部１１の一側１２の端と基部２の他面とを、フレキシブルな材料からなる短い筒状の連結材４５で結合して、差し筋穴形成具２０を構成する（図６（ｂ））。連結材４５は、仮止め部１と空間形成部１０とを取付角度が垂直に対して、全周に亘って４５度程度の角度で変更可能であれば良く、かつコンクリートを打設した際に、磁石６の開口６ａからねじ部１７までに鉄筋３６（差し筋）が通るスペースが確保されるような材料で形成する。例えば、布、不織布、合成樹脂等から構成する。
【００５２】
２．差し筋形成具２０の使用
【００５３】
続いて、前記差し筋穴形成具２０の使用について説明する。基本的に、前記実施例１と同様であるが、差し筋形成具２０の空間形成部１０がコンクリート内に残置され、構造鉄筋２５を、基礎３０を構成する構造鉄筋の一部として使用することができる。
【００５４】
（１）  例えば、実施例１との同様に、木造住宅用の基礎に適用する場合には、基礎地面２２を均し、コンクリート製の基礎３０の構築位置に合わせて、鋼製の型枠２３、２４を組み立て配置し、型枠２３、２４の組み立てと同時に又は前後して、型枠２３、２４内に基礎用の鉄筋２５、２５を配置する。型枠２３の外側に構築する構造物（実施例１では下地コンクリート）の鉄筋３６の差し筋位置に合わせて、差し筋穴形成具２０、２０を取り付ける。差し筋位置に合わせて、型枠２３の内面（コンクリート製の基礎３０側）２３ａに、差し筋穴形成具２０の仮止め部１を取り付ける（図６（ａ）。図１（ａ）及び図３（ａ）参照）。
【００５５】
即ち、仮止め部１の磁石６が型枠２３の内面２３ａに止まり、予定している差し筋３６ａの取付角度に合わせて空間形成部１０の角度を変える。この際、仮止め部１は磁石６で取り付けるので、位置調整自由であり、仮止め部１と空間形成部１０との相対角度も連結材４５により自由に設定できるので、必要な差し筋３５ａの角度に合わせて、あるいは、基礎用の鉄筋２５、２５に当たらないように、差し筋穴形成具２０の取付位置を微調節できる。
【００５６】
また、この場合、差し筋穴形成具２０の鉄筋２５を他の鉄筋２５、２５に結束して、差し筋穴形成具２０が移動しないように保持することもできる（図示していない）。
【００５７】
（２）  続いて、型枠２３、２４内にコンクリート２７を打設する（図１（ｂ）及び図３（ｂ）参照）。
【００５８】
（３）  コンクリート２７が固化発現した後、型枠２３、２４を除去すれば（型枠２３は図６（ｂ）の矢示４６方向に除去）、連結材４５がちぎれ、型枠２３と共に仮止め部１（基部１、磁石６）が除去される（図６（ｂ））。差し筋穴形成具２０の空間形成部１０はコンクリート２７内に埋設された状態で残置される。空間形成部１０の一側１２のねじ部１７は差し筋穴３１として形成され、コンクリート製の基礎３０が構築される。
【００５９】
（４）  続いて、図６（ｂ）矢示４７のように、差し筋穴３１（ねじ部１７）に鉄筋３６ａを挿入して、先端のねじ部３６ｂを、空間形成部１０のねじ部１７（差し筋穴３１）に螺合緊結する（図６（ｂ））。その他、必要な鉄筋３６、３６を配置して、コンクリートを打設して、下地コンクリート層４０を構築する（図２（ｄ）参照）。
【図面の簡単な説明】
【００６０】
【図１】この発明の実施例で、（ａ）は差し筋穴形成具を型枠の内面に取り付けた状態、（ｂ）はコンクリートを打設した状態、（ｃ）はコンクリートが固化して型枠を除去して差し筋穴を形成した状態、（ｄ）は差し筋穴に鉄筋を差してグラウトを充填した状態、を夫々表す。
【図２】この発明の差し筋穴形成具で、（ａ）は正面図、（ｂ）は縦断面図である。
【図３】この発明の差し筋穴形成具の使用例で、（ａ）は基礎用型枠の内面に差し筋穴形成具を取り付けた状態、（ｂ）は基礎用のコンクリートを打設した状態、（ｃ）はコンクリートが固化して型枠を除去した状態、（ｄ）は差し筋穴に鉄筋を差して、コンクリートを打設した状態、を夫々表す。
【図４】この発明の他の実施例で、（ａ）は組み立て図、（ｂ）は縦断面図である。
【図５】（ａ）〜（ｃ）は、同じくこの発明の他の実施例の縦断面図である。
【図６】同じくこの発明の他の実施例の縦断面図で、（ａ）は埋設前、（ｂ）はコンクリート埋設後を夫々表す。
【符号の説明】
【００６１】
１  仮止め部（仮止め手段）
２  基部（仮止め部）
３  上端板（仮止め部）
４  下端開放部（仮止め部）
５  円形透孔（仮止め部）
６  磁石（仮止め部）
１０  空間形成部
１１  基部（空間形成部）
１２  基部の一側
１２ａ  基部の他側
１３  取付部（空間形成部）
１４  取付部の棒体（空間形成部）
１５  取付部の球体（空間形成部）
１６  鉄筋挿入部（空間形成部）
１７  ねじ部（差し筋穴３１）
２０  差し筋穴形成具
２２  地面
２３  型枠（内側）
２４  型枠（外側）
２５  鉄筋（基礎）
２６  間隙
２６ａ  詰め物
２７  コンクリート（基礎）
３０  基礎
３１  差し筋穴
３３  盛り土
３４  砕石層
３４ａ  砕石層の傾斜部
３５  土台
３６  鉄筋（下地コンクリート層）
３７  グラウト
３８  コンクリート（下地コンクリート層）
４０  下地コンクリート層
４１  下地コンクリート層の周辺突出部
４５  連結材
【図１】
2008038445.tif 000003
【図２】
2008038445.tif 000004
【図３】
2008038445.tif 000005
【図４】
2008038445.tif 000006
【図５】
2008038445.tif 000007
【図６】
2008038445.tif 000008